(57)【要約】【課題】  箸立てに入れた状態であっても自分専用の箸と他の箸との識別が容易であり、かつ、毎日使用する箸として、使用者の愛着が湧き易い箸を提供する。【解決手段】  箸１ａは、箸頭１ｂに、少なくとも両目および口を有する人の顔を模した図案２が施された図案部３を備えており、かつ、前記両目が、一対の文字（アルファベット、数字等）あるいは記号４、４によって表わされている。【選択図】  図１
0003153032.tif 000002
【実用新案登録請求の範囲】
【請求項１】
箸頭に、少なくとも両目および口を有する人の顔を模した図案が施された図案部を備えており、かつ、前記両目が、一対の文字あるいは記号によって表わされてなる箸。
【請求項２】
前記両目は、一対の同一の文字によって表わされており、それら文字は、アルファベットである、請求項１に記載の箸。
【請求項３】
前記両目は、一対の同一の文字によって表わされており、それら文字は、数字である、請求項１に記載の箸。
【請求項４】
前記人の顔は、笑顔によって構成されている、請求項１ないし３のいずれか１項に記載の箸。
【請求項５】
前記箸頭には、その正面側が斜めに切り落とされるようにして、斜面部が形成され、かつ、
前記図案部は、前記斜面部に設けられ、その斜面部の外周縁によって、前記人の顔の輪郭が表わされている、請求項１ないし４のいずれか１項に記載の箸。
【請求項６】
前記図案部は、前記箸頭の天頂部に設けられ、その天頂部の外周縁によって、前記人の顔の輪郭が表わされている、請求項１ないし４のいずれか１項に記載の箸。
【考案の詳細な説明】
【技術分野】
【０００１】
この考案は、他の箸との識別が容易な箸に関する。
【背景技術】
【０００２】
例えば家庭内で使用する箸などについては、特定の箸を自分専用の箸と定めて使用することがあり、このような場合には、自分専用の箸と他の箸との識別が容易であることが望まれる。また、箸は、毎日使用するものであることから、使用者の愛着が湧き易いものが望まれる。
【０００３】
ここで、箸の持ち手部側に位置する箸胴部に、愛称とイラストが表わされた箸があった（例えば、特許文献１参照）。この箸にあっては、箸胴部に表わされた愛称とイラストによって、箸の自他の識別が可能であった。
【先行技術文献】
【特許文献】
【０００４】
【特許文献１】実開平７−２７３７８号公報
【考案の概要】
【考案が解決しようとする課題】
【０００５】
しかしながら、前記従来の箸にあっては、愛称とイラストが箸胴部に表わされているため、例えば筒状の箸立てに入れた場合においては、子供用の箸などは特に、前記愛称とイラストが、その箸立て内に隠れてしまい、箸の自他の識別が困難になる虞があった。
【０００６】
この考案は、上記した従来の問題点に鑑みてなされたものであり、その目的とするところは、箸立てに入れた状態であっても自分専用の箸と他の箸との識別が容易であり、かつ、毎日使用する箸として、使用者の愛着が湧き易い箸を提供することにある。
【課題を解決するための手段】
【０００７】
この考案に係る箸は、前記目的を達成するために、次の構成からなる。すなわち、
請求項１に記載の考案に係る箸は、箸頭に、少なくとも両目および口を有する人の顔を模した図案が施された図案部を備えており、かつ、前記両目が、一対の文字あるいは記号によって表わされてなる。この箸にあっては、両目を表わす一対の文字あるいは記号を、例えば、使用者の好みの文字あるいは記号とか、使用者を特定する文字あるいは記号に設定することによって、自分専用の箸と他の箸との識別が容易になる。また、図案部に施された図案は、両目および口を有する人の顔を模した図案であるため、使用者にとって馴染み易く、また、使用者の愛着も湧き易い。そして、この箸は、その箸頭に前記図案部を備えているため、仮に筒状の箸立てに入れた状態であっても、前記図案部が箸立て内に隠れてしまうようなことはなく、自分専用の箸と他の箸との識別が容易である。
【０００８】
また、請求項２に記載の考案に係る箸のように、請求項１に記載の箸において、前記両目は、一対の同一の文字によって表わされており、それら文字は、アルファベットであってもよい。この箸にあっては、両目を表わす一対の同一の文字を、例えば、使用者の名とか姓の頭文字（イニシャル）となるアルファベット等に設定することによって、使用者の愛着がより湧き易くなる。
【０００９】
また、請求項３に記載の考案に係る箸のように、請求項１に記載の箸において、前記両目は、一対の同一の文字によって表わされており、それら文字は、数字であってもよい。この箸にあっては、両目を表わす一対の同一の文字を、例えば、使用者の誕生日あるいは誕生月とか、箸を購入したときの使用者の年齢を意味する数字等に設定することによって、使用者の愛着がより湧き易くなる。
【００１０】
また、請求項４に記載の考案に係る箸のように、請求項１ないし３のいずれか１項に記載の箸において、前記人の顔は、笑顔によって構成されていることが望ましい。こうすることで、使用者に安心感や好感を与えることができる。
【００１１】
また、請求項５に記載の考案に係る箸のように、請求項１ないし４のいずれか１項に記載の箸において、前記箸頭には、その正面側が斜めに切り落とされるようにして、斜面部が形成され、かつ、前記図案部は、前記斜面部に設けられ、その斜面部の外周縁によって、前記人の顔の輪郭が表わされてもよい。こうすることで、前記図案部に、前記人の顔の輪郭を描く手間を省くことができる。
【００１２】
また、請求項６に記載の考案に係る箸のように、請求項１ないし４のいずれか１項に記載の箸において、前記図案部は、前記箸頭の天頂部に設けられ、その天頂部の外周縁によって、前記人の顔の輪郭が表わされてもよい。こうすることで、前記図案部に、前記人の顔の輪郭を描く手間を省くことができる。
【考案の効果】
【００１３】
この考案に係る箸によれば、箸立てに入れた状態であっても自分専用の箸と他の箸との識別が容易であり、かつ、毎日使用する箸として、使用者の愛着が湧き易い。
【図面の簡単な説明】
【００１４】
【図１】この考案に係る箸の第一の実施の形態の、一膳の箸の正面図である。
【図２】同じく、箸の側面図である。
【図３】同じく、図１におけるＡ−Ａ線による拡大断面図である。
【図４】同じく、図１における、箸の要部拡大図である。
【図５】この考案に係る箸の第二の実施の形態の、図４相当図である。
【図６】この考案に係る箸の第三の実施の形態の、箸の正面図である。
【図７】同じく、箸の拡大平面図である。
【図８】この考案に係る箸における、図案の変形例を示す図である。
【図９】この考案に係る箸の第四の実施の形態の、図４相当図である。
【考案を実施するための形態】
【００１５】
以下、この考案に係る箸を実施するための形態を図面に基づいて説明する。
【００１６】
図１〜図４は、本考案に係る箸の一実施の形態を示す。図中符号１は、例えば木製の一膳の箸であって、一対の箸１ａ、１ａからなる。
【００１７】
ここで、箸１ａは、箸頭１ｂに、少なくとも両目および口を有する人の顔を模した図案２が施された図案部３を備えており、かつ、前記両目が、一対の文字あるいは記号４、４（図示実施の形態においては、文字４、４）によって表わされている。
【００１８】
詳細には、箸頭１ｂには、その正面側が斜めに切り落とされるようにして、斜面部１ｃが形成され、かつ、この斜面部１ｃに、図案部３が設けられている（図１および図２参照）。図示実施の形態においては、箸１ａは、断面略矩形状（詳細には、略正方形状）に形成されており（図３参照）、また、斜面部１ｃは、その外形形状が、正面視略逆卵形状に形成されている（図１および図４参照）。そして、その斜面部１ｃの外周縁１ｄによって、前記人の顔の輪郭が表わされている。なお、箸頭１ｂ（図示実施の形態においては、斜面部１ｃ）に図案部３を設ける方法としては、例えば、シルク印刷によって図案２を表現する方法が挙げられるが、必ずしもこのような方法に限定されるものではない。
【００１９】
また、前記両目は、一対の同一の文字４、４によって表わされている。図示実施の形態においては、それら文字４、４は、アルファベット（具体的には、小文字表記「ａ」）である（図１および図４参照）。また、前記口は、描線５によって表わされている。詳細には、この描線５は、下向きの略半円弧状の線と、その略半円弧状の線の一方側の端から斜めに円弧を描くように延びる略小円弧状の線とからなり、これにより、前記人の顔における、前記口と、えくぼとが表わされている。こうして、前記人の顔は、笑顔によって構成される。また、図示実施の形態においては、一対の箸１ａ、１ａの双方に同一の図案２、２が施されているが、必ずしも同一の図案２、２である必要はなく、例えば、文字４、４のアルファベットが、一方の箸１ａと他方の箸１ａとでは異なっていても構わない。
【００２０】
さらに、図示実施の形態においては、箸１ａの全体に、塗料が塗布されている。詳細には、箸１ａの箸先１ｅには、例えば、漆（摺り漆、黒漆など）が塗布されている。また、箸１ａの、箸先１ｅを除いた本体持ち手部分１ｆに、例えば、漆（摺り漆、黒漆など）その他の天然塗料、あるいは合成樹脂塗料が塗布されている。より詳細には、前記斜面部１ｃとその斜面部１ｃ以外の部分（本体持ち手部分１ｆ）とで、異なる色の塗料が塗布されおり、これにより、前記人の顔が強調されている。
【００２１】
次に、以上の構成からなる箸の作用効果について説明する。この箸１ａ、１ａにあっては、両目を表わす一対の文字あるいは記号４、４（図示実施の形態においては、文字４、４）を、例えば、使用者の好みの文字あるいは記号４、４（図示実施の形態においては、文字４、４）とか、使用者を特定する文字あるいは記号４、４（図示実施の形態においては、文字４、４）に設定することによって、自分専用の箸と他の箸との識別が容易になる。また、図案部３に施された図案２は、両目および口を有する人の顔を模した図案２であるため、使用者にとって馴染み易く、また、使用者の愛着も湧き易い。特に、箸を使い始めたばかりの子供や、これから箸を使い始める子供にとっては、前記図案２よって、箸１ａ、１ａへの興味を持ち易くなることから、この箸１ａ、１ａは、子供の箸使いの習得にも好ましいものとなる。そして、箸１ａ、１ａは、その箸頭１ｂに図案部３を備えているため、仮に筒状の箸立てに入れた状態であっても、図案部３が箸立て内に隠れてしまうようなことはなく、自分専用の箸と他の箸との識別が容易である。
【００２２】
また、この箸１ａ、１ａにあっては、両目を表わす一対の同一の文字４、４を、例えば、使用者の名とか姓の頭文字（イニシャル）となるアルファベット等に設定することによって、使用者の愛着がより湧き易くなる。しかも、前記人の顔は、笑顔によって構成されているため、この箸１ａ、１ａは、使用者に安心感や好感を与えることができる。
【００２３】
また、図案部３は、斜面部１ｃに設けられ、その斜面部１ｃの外周縁１ｄによって、前記人の顔の輪郭が表わされているため、図案部３に、前記人の顔の輪郭を描く手間を省くことができる。
【００２４】
なお、本考案は、上述した実施の形態に限定されるわけではなく、その他種々の変更が可能である。例えば、箸１ａは、断面略矩形状（詳細には、略正方形状）でなくてもよく、例えば、断面略円形状など、他の断面形状であってもよい。また、箸１ａの全体に塗料が塗布されていなくてもよく、箸１ａに部分的に塗料が塗布されていてもよいし、あるいは、箸１ａに塗料が塗布されていなくてもよい。また、斜面部１ｃとその斜面部１ｃ以外の部分とで、異なる色の塗料が塗布されていなくてもよく、同じ色の塗料が塗布されていてもよい。
【００２５】
また、箸先１ｅに、食材を掴んだときの滑り止め加工（例えば、箸先１ｅに、複数の溝を設けたり、あるいは、乾漆粉を塗り固めたりする加工等）を施してもよい。また、本体持ち手部分１ｆに、箸１ａ、１ａを持ちやすくする加工（例えば、本体持ち手部分１ｆの表面に波状の凹凸を形成する加工等）や、箸１ａ、１ａの持ち方を矯正する加工（例えば、本体持ち手部分１ｆの、指を宛がう部分を窪ませるように削る加工等）が施されてもよい。なお、これら滑り止め加工、箸１ａ、１ａを持ちやすくする加工、箸１ａ、１ａの持ち方を矯正する加工については、上記の加工に限定されることはなく、種々の加工が施されてもよい。
【００２６】
また、斜面部１ｃの外形状は、正面視略逆卵形状に形成されていなくてもよく、例えば、図５に示すように、略楕円形状に形成されてもよいし、あるいは、円形状とか多角形状など、他の形状に形成されてもよい。
【００２７】
また、両目を表わす一対の同一の文字は、アルファベットでなくてもよく、例えば、図５に示すように、数字（図示実施の形態においては、数字「９」）であってもよい。この箸１ａにあっては、両目を表わす一対の同一の文字を、例えば、使用者の誕生日あるいは誕生月とか、箸１ａを購入したときの使用者の年齢を意味する数字等に設定することによって、使用者の愛着がより湧き易くなる。なお、図５に示す図案２においては、前記口を表わす描線５は、下向きの略半円弧状の線と、その略半円弧状の線の両端を結ぶ直線とからなり、これにより、口を開いた顔（笑顔）が表わされている。
【００２８】
また、図案部３は、斜面部１ｃに設けられなくてもよく、例えば、図６および図７に示すように、箸頭１ｂの天頂部１ｇに設けられてもよい。この箸１ａにあっては、箸頭１ｂには、斜面部は形成されておらず、その天頂部１ｇの外形状は、略円形状に形成されている。そして、この天頂部１ｇに、図案部３（すなわち、両目および口を有する人の顔を模した図案２が施された図案部３）が設けられている。また、図示実施の形態においては、天頂部１ｇの外周縁１ｈによって、前記人の顔の輪郭が表わされており、これにより、図案部３に、前記人の顔の輪郭を描く手間を省くことができる。なお、図７に示す図案２においては、前記両目が、一対の記号４、４によって表わされている。また、前記口を表わす描線５は、下向きの円弧状の線と、その円弧状の線の一方側から、天頂部１ｇの略中心に向かって舌片状に突出するように描かれた曲線とからなり、これにより、舌を出した顔が表わされている。
【００２９】
また、前記両目は、必ずしも、一対の同一の文字あるいは記号によって表わされなくてもよく、例えば図７に示すように、互いに異なる文字（異なるアルファベット、異なる数字など）あるいは互いに異なる記号４ａ、４ｂ（図示実施の形態においては、異なる記号「≧」と「≦」）によって表わされてもよいし、さらには、一対の箸１ａ、１ａの双方に同一の図案２、２が施されていなくてもよく、互いに異なる図案が施されていてもよいことは、既述した通りである。
【００３０】
図８に、本考案に係る箸における図案２の変形例を挙げるが、これらの変形例はあくまで一例にすぎず、各要素を適宜変更したり組み合わせてもよい。
【００３１】
また、斜面部１ｃの外周縁１ｄによって、前記人の顔の輪郭が表わされていなくてもよく、例えば、図９に示すように、斜面部１ｃの外周縁１ｄの内側に、前記人の顔の輪郭が表わされてもよい。同様に、図６および図７に示す実施の形態において、天頂部１ｇの外周縁１ｈによって、前記人の顔の輪郭が表わされていなくてもよく、天頂部１ｇの外周縁１ｈの内側に、前記人の顔の輪郭が表わされてもよい。なお、図９に示す実施の形態においては、前記人の顔は、鼻を有しており、その鼻は、一対の点６、６によって表わされている。このように、前記人の顔は、前記両目および口以外の要素を有してもよい。
【００３２】
また、箸１（１ａ）は、木製に限られず、例えば、竹を用いたもの、合成樹脂を用いたものなどでもよく、その素材は、特に限定されない。
【符号の説明】
【００３３】
１ａ  箸
１ｂ  箸頭
１ｃ  斜面部
１ｄ  斜面部の外周縁
１ｇ  天頂部
１ｈ  天頂部の外周縁
２    図案
３    図案部
４、４ａ、４ｂ    文字（記号）
【図１】
0003153032.tif 000003
【図２】
0003153032.tif 000004
【図３】
0003153032.tif 000005
【図４】
0003153032.tif 000006
【図５】
0003153032.tif 000007
【図６】
0003153032.tif 000008
【図７】
0003153032.tif 000009
【図８】
0003153032.tif 000010
【図９】
0003153032.tif 000011
【手続補正書】
【提出日】平成21年6月12日(2009.6.12)
【手続補正１】
【補正対象書類名】明細書
【補正対象項目名】全文
【補正方法】変更
【補正の内容】
【考案の詳細な説明】
【技術分野】
【０００１】
この考案は、他の箸との識別が容易な箸に関する。
【背景技術】
【０００２】
例えば家庭内で使用する箸などについては、特定の箸を自分専用の箸と定めて使用することがあり、このような場合には、自分専用の箸と他の箸との識別が容易であることが望まれる。また、箸は、毎日使用するものであることから、使用者の愛着が湧き易いものが望まれる。
【０００３】
ここで、箸の持ち手部側に位置する箸胴部に、愛称とイラストが表わされた箸があった（例えば、特許文献１参照）。この箸にあっては、箸胴部に表わされた愛称とイラストによって、箸の自他の識別が可能であった。
【先行技術文献】
【特許文献】
【０００４】
【特許文献１】実開平７−２７３７８号公報
【考案の概要】
【考案が解決しようとする課題】
【０００５】
しかしながら、前記従来の箸にあっては、愛称とイラストが箸胴部に表わされているため、例えば筒状の箸立てに入れた場合においては、子供用の箸などは特に、前記愛称とイラストが、その箸立て内に隠れてしまい、箸の自他の識別が困難になる虞があった。
【０００６】
この考案は、上記した従来の問題点に鑑みてなされたものであり、その目的とするところは、箸立てに入れた状態であっても自分専用の箸と他の箸との識別が容易であり、かつ、毎日使用する箸として、使用者の愛着が湧き易い箸を提供することにある。
【課題を解決するための手段】
【０００７】
この考案に係る箸は、前記目的を達成するために、次の構成からなる。すなわち、
請求項１に記載の考案に係る箸は、箸頭に、少なくとも両目および口を有する人の顔を模した図案が施された図案部を備えており、かつ、前記両目が、一対の文字あるいは記号によって表わされてなる。この箸にあっては、両目を表わす一対の文字あるいは記号を、例えば、使用者の好みの文字あるいは記号とか、使用者を特定する文字あるいは記号に設定することによって、自分専用の箸と他の箸との識別が容易になる。また、図案部に施された図案は、両目および口を有する人の顔を模した図案であるため、使用者にとって馴染み易く、また、使用者の愛着も湧き易い。そして、この箸は、その箸頭に前記図案部を備えているため、仮に筒状の箸立てに入れた状態であっても、前記図案部が箸立て内に隠れてしまうようなことはなく、自分専用の箸と他の箸との識別が容易である。
【０００８】
また、請求項２に記載の考案に係る箸のように、請求項１に記載の箸において、前記両目は、一対の同一の文字によって表わされており、それら文字は、アルファベットであってもよい。
また、請求項３に記載の考案に係る箸のように、請求項２に記載の箸において、前記アルファベットは、箸の使用者の名とか姓の頭文字であってもよい。こうすることによって、使用者の愛着がより湧き易くなる。
【０００９】
また、請求項４に記載の考案に係る箸のように、請求項１に記載の箸において、前記両目は、一対の同一の文字によって表わされており、それら文字は、数字であってもよい。この箸にあっては、両目を表わす一対の同一の文字を、例えば、使用者の誕生日あるいは誕生月とか、箸を購入したときの使用者の年齢を意味する数字等に設定することによって、使用者の愛着がより湧き易くなる。
【００１０】
また、請求項５に記載の考案に係る箸のように、請求項１ないし４のいずれか１項に記載の箸において、前記人の顔は、笑顔によって構成されていることが望ましい。こうすることで、使用者に安心感や好感を与えることができる。
【００１１】
また、請求項６に記載の考案に係る箸のように、請求項１ないし５のいずれか１項に記載の箸において、前記箸頭には、その正面側が斜めに切り落とされるようにして、斜面部が形成され、かつ、前記図案部は、前記斜面部に設けられ、その斜面部の外周縁によって、前記人の顔の輪郭が表わされてもよい。こうすることで、前記図案部に、前記人の顔の輪郭を描く手間を省くことができる。
【００１２】
また、請求項７に記載の考案に係る箸のように、請求項１ないし５のいずれか１項に記載の箸において、前記図案部は、前記箸頭の天頂部に設けられ、その天頂部の外周縁によって、前記人の顔の輪郭が表わされてもよい。こうすることで、前記図案部に、前記人の顔の輪郭を描く手間を省くことができる。
【考案の効果】
【００１３】
この考案に係る箸によれば、箸立てに入れた状態であっても自分専用の箸と他の箸との識別が容易であり、かつ、毎日使用する箸として、使用者の愛着が湧き易い。
【図面の簡単な説明】
【００１４】
【図１】この考案に係る箸の第一の実施の形態の、一膳の箸の正面図である。
【図２】同じく、箸の側面図である。
【図３】同じく、図１におけるＡ−Ａ線による拡大断面図である。
【図４】同じく、図１における、箸の要部拡大図である。
【図５】この考案に係る箸の第二の実施の形態の、図４相当図である。
【図６】この考案に係る箸の第三の実施の形態の、箸の正面図である。
【図７】同じく、箸の拡大平面図である。
【図８】この考案に係る箸における、図案の変形例を示す図である。
【図９】この考案に係る箸の第四の実施の形態の、図４相当図である。
【考案を実施するための形態】
【００１５】
以下、この考案に係る箸を実施するための形態を図面に基づいて説明する。
【００１６】
図１〜図４は、本考案に係る箸の一実施の形態を示す。図中符号１は、例えば木製の一膳の箸であって、一対の箸１ａ、１ａからなる。
【００１７】
ここで、箸１ａは、箸頭１ｂに、少なくとも両目および口を有する人の顔を模した図案２が施された図案部３を備えており、かつ、前記両目が、一対の文字あるいは記号４、４（図示実施の形態においては、文字４、４）によって表わされている。
【００１８】
詳細には、箸頭１ｂには、その正面側が斜めに切り落とされるようにして、斜面部１ｃが形成され、かつ、この斜面部１ｃに、図案部３が設けられている（図１および図２参照）。図示実施の形態においては、箸１ａは、断面略矩形状（詳細には、略正方形状）に形成されており（図３参照）、また、斜面部１ｃは、その外形形状が、正面視略逆卵形状に形成されている（図１および図４参照）。そして、その斜面部１ｃの外周縁１ｄによって、前記人の顔の輪郭が表わされている。なお、箸頭１ｂ（図示実施の形態においては、斜面部１ｃ）に図案部３を設ける方法としては、例えば、シルク印刷によって図案２を表現する方法が挙げられるが、必ずしもこのような方法に限定されるものではない。
【００１９】
また、前記両目は、一対の同一の文字４、４によって表わされている。図示実施の形態においては、それら文字４、４は、アルファベット（具体的には、小文字表記「ａ」）である（図１および図４参照）。また、前記口は、描線５によって表わされている。詳細には、この描線５は、下向きの略半円弧状の線と、その略半円弧状の線の一方側の端から斜めに円弧を描くように延びる略小円弧状の線とからなり、これにより、前記人の顔における、前記口と、えくぼとが表わされている。こうして、前記人の顔は、笑顔によって構成される。また、図示実施の形態においては、一対の箸１ａ、１ａの双方に同一の図案２、２が施されているが、必ずしも同一の図案２、２である必要はなく、例えば、文字４、４のアルファベットが、一方の箸１ａと他方の箸１ａとでは異なっていても構わない。
【００２０】
さらに、図示実施の形態においては、箸１ａの全体に、塗料が塗布されている。詳細には、箸１ａの箸先１ｅには、例えば、漆（摺り漆、黒漆など）が塗布されている。また、箸１ａの、箸先１ｅを除いた本体持ち手部分１ｆに、例えば、漆（摺り漆、黒漆など）その他の天然塗料、あるいは合成樹脂塗料が塗布されている。より詳細には、前記斜面部１ｃとその斜面部１ｃ以外の部分（本体持ち手部分１ｆ）とで、異なる色の塗料が塗布されおり、これにより、前記人の顔が強調されている。
【００２１】
次に、以上の構成からなる箸の作用効果について説明する。この箸１ａ、１ａにあっては、両目を表わす一対の文字あるいは記号４、４（図示実施の形態においては、文字４、４）を、例えば、使用者の好みの文字あるいは記号４、４（図示実施の形態においては、文字４、４）とか、使用者を特定する文字あるいは記号４、４（図示実施の形態においては、文字４、４）に設定することによって、自分専用の箸と他の箸との識別が容易になる。また、図案部３に施された図案２は、両目および口を有する人の顔を模した図案２であるため、使用者にとって馴染み易く、また、使用者の愛着も湧き易い。特に、箸を使い始めたばかりの子供や、これから箸を使い始める子供にとっては、前記図案２よって、箸１ａ、１ａへの興味を持ち易くなることから、この箸１ａ、１ａは、子供の箸使いの習得にも好ましいものとなる。そして、箸１ａ、１ａは、その箸頭１ｂに図案部３を備えているため、仮に筒状の箸立てに入れた状態であっても、図案部３が箸立て内に隠れてしまうようなことはなく、自分専用の箸と他の箸との識別が容易である。
【００２２】
また、この箸１ａ、１ａにあっては、両目を表わす一対の同一の文字４、４を、例えば、使用者の名とか姓の頭文字（イニシャル）となるアルファベット等に設定することによって、使用者の愛着がより湧き易くなる。しかも、前記人の顔は、笑顔によって構成されているため、この箸１ａ、１ａは、使用者に安心感や好感を与えることができる。
【００２３】
また、図案部３は、斜面部１ｃに設けられ、その斜面部１ｃの外周縁１ｄによって、前記人の顔の輪郭が表わされているため、図案部３に、前記人の顔の輪郭を描く手間を省くことができる。
【００２４】
なお、本考案は、上述した実施の形態に限定されるわけではなく、その他種々の変更が可能である。例えば、箸１ａは、断面略矩形状（詳細には、略正方形状）でなくてもよく、例えば、断面略円形状など、他の断面形状であってもよい。また、箸１ａの全体に塗料が塗布されていなくてもよく、箸１ａに部分的に塗料が塗布されていてもよいし、あるいは、箸１ａに塗料が塗布されていなくてもよい。また、斜面部１ｃとその斜面部１ｃ以外の部分とで、異なる色の塗料が塗布されていなくてもよく、同じ色の塗料が塗布されていてもよい。
【００２５】
また、箸先１ｅに、食材を掴んだときの滑り止め加工（例えば、箸先１ｅに、複数の溝を設けたり、あるいは、乾漆粉を塗り固めたりする加工等）を施してもよい。また、本体持ち手部分１ｆに、箸１ａ、１ａを持ちやすくする加工（例えば、本体持ち手部分１ｆの表面に波状の凹凸を形成する加工等）や、箸１ａ、１ａの持ち方を矯正する加工（例えば、本体持ち手部分１ｆの、指を宛がう部分を窪ませるように削る加工等）が施されてもよい。なお、これら滑り止め加工、箸１ａ、１ａを持ちやすくする加工、箸１ａ、１ａの持ち方を矯正する加工については、上記の加工に限定されることはなく、種々の加工が施されてもよい。
【００２６】
また、斜面部１ｃの外形状は、正面視略逆卵形状に形成されていなくてもよく、例えば、図５に示すように、略楕円形状に形成されてもよいし、あるいは、円形状とか多角形状など、他の形状に形成されてもよい。
【００２７】
また、両目を表わす一対の同一の文字は、アルファベットでなくてもよく、例えば、図５に示すように、数字（図示実施の形態においては、数字「９」）であってもよい。この箸１ａにあっては、両目を表わす一対の同一の文字を、例えば、使用者の誕生日あるいは誕生月とか、箸１ａを購入したときの使用者の年齢を意味する数字等に設定することによって、使用者の愛着がより湧き易くなる。なお、図５に示す図案２においては、前記口を表わす描線５は、下向きの略半円弧状の線と、その略半円弧状の線の両端を結ぶ直線とからなり、これにより、口を開いた顔（笑顔）が表わされている。
【００２８】
また、図案部３は、斜面部１ｃに設けられなくてもよく、例えば、図６および図７に示すように、箸頭１ｂの天頂部１ｇに設けられてもよい。この箸１ａにあっては、箸頭１ｂには、斜面部は形成されておらず、その天頂部１ｇの外形状は、略円形状に形成されている。そして、この天頂部１ｇに、図案部３（すなわち、両目および口を有する人の顔を模した図案２が施された図案部３）が設けられている。また、図示実施の形態においては、天頂部１ｇの外周縁１ｈによって、前記人の顔の輪郭が表わされており、これにより、図案部３に、前記人の顔の輪郭を描く手間を省くことができる。なお、図７に示す図案２においては、前記両目が、一対の記号４、４によって表わされている。また、前記口を表わす描線５は、下向きの円弧状の線と、その円弧状の線の一方側から、天頂部１ｇの略中心に向かって舌片状に突出するように描かれた曲線とからなり、これにより、舌を出した顔が表わされている。
【００２９】
また、前記両目は、必ずしも、一対の同一の文字あるいは記号によって表わされなくてもよく、例えば図７に示すように、互いに異なる文字（異なるアルファベット、異なる数字など）あるいは互いに異なる記号４ａ、４ｂ（図示実施の形態においては、異なる記号「≧」と「≦」）によって表わされてもよいし、さらには、一対の箸１ａ、１ａの双方に同一の図案２、２が施されていなくてもよく、互いに異なる図案が施されていてもよいことは、既述した通りである。
【００３０】
図８に、本考案に係る箸における図案２の変形例を挙げるが、これらの変形例はあくまで一例にすぎず、各要素を適宜変更したり組み合わせてもよい。
【００３１】
また、斜面部１ｃの外周縁１ｄによって、前記人の顔の輪郭が表わされていなくてもよく、例えば、図９に示すように、斜面部１ｃの外周縁１ｄの内側に、前記人の顔の輪郭が表わされてもよい。同様に、図６および図７に示す実施の形態において、天頂部１ｇの外周縁１ｈによって、前記人の顔の輪郭が表わされていなくてもよく、天頂部１ｇの外周縁１ｈの内側に、前記人の顔の輪郭が表わされてもよい。なお、図９に示す実施の形態においては、前記人の顔は、鼻を有しており、その鼻は、一対の点６、６によって表わされている。このように、前記人の顔は、前記両目および口以外の要素を有してもよい。
【００３２】
また、箸１（１ａ）は、木製に限られず、例えば、竹を用いたもの、合成樹脂を用いたものなどでもよく、その素材は、特に限定されない。
【符号の説明】
【００３３】
１ａ  箸
１ｂ  箸頭
１ｃ  斜面部
１ｄ  斜面部の外周縁
１ｇ  天頂部
１ｈ  天頂部の外周縁
２    図案
３    図案部
４、４ａ、４ｂ    文字（記号）
【手続補正２】
【補正対象書類名】実用新案登録請求の範囲
【補正対象項目名】全文
【補正方法】変更
【補正の内容】
【実用新案登録請求の範囲】
【請求項１】
箸頭に、少なくとも両目および口を有する人の顔を模した図案が施された図案部を備えており、かつ、前記両目が、一対の文字あるいは記号によって表わされてなる箸。
【請求項２】
前記両目は、一対の同一の文字によって表わされており、それら文字は、アルファベットである、請求項１に記載の箸。
【請求項３】
前記アルファベットは、箸の使用者の名とか姓の頭文字である、請求項２に記載の箸。
【請求項４】
前記両目は、一対の同一の文字によって表わされており、それら文字は、数字である、請求項１に記載の箸。
【請求項５】
前記人の顔は、笑顔によって構成されている、請求項１ないし４のいずれか１項に記載の箸。
【請求項６】
前記箸頭には、その正面側が斜めに切り落とされるようにして、斜面部が形成され、かつ、
前記図案部は、前記斜面部に設けられ、その斜面部の外周縁によって、前記人の顔の輪郭が表わされている、請求項１ないし５のいずれか１項に記載の箸。
【請求項７】
前記図案部は、前記箸頭の天頂部に設けられ、その天頂部の外周縁によって、前記人の顔の輪郭が表わされている、請求項１ないし５のいずれか１項に記載の箸。